(57)【要約】【課題】未定着画像の静電転写後の記録シートが、周回駆動するベルト上で予備加熱された後、分離位置まで搬送されたときに分離不良が発生するのを有効に防止する。【解決手段】未定着画像を記録シート上に静電転写した後、記録シートを周回駆動する無端状のベルト39の外周面上に静電気的に吸着させて分離位置まで搬送し、分離位置で記録シートを分離した後、熱定着する画像形成装置であって、分離位置に対応する位置に配置され、ベルト39の走行経路を屈曲させて記録シートをベルトから分離させる分離ローラ38bと、分離ローラ38bの上流側に配置され、ベルト39の外周面側から記録シート上の未定着画像を加熱する予備加熱装置301と、その下流側に配置され、記録シートが分離位置へ搬送される際にベルト39からの剥離を促進することにより、記録シートの分離を補助する分離補助手段38eと、を備える。【選択図】図２
2012173468.tif 000002
【特許請求の範囲】
【請求項１】
未定着画像を形成し、記録シート上に静電転写した後、当該記録シートを
周回駆動する無端状のベルトの外周面上に静電気的に吸着させて分離位置まで搬送し、当該分離位置で当該記録シートを分離した後、未定着画像を熱定着する画像形成装置であって、
前記分離位置に対応する位置に配置され、前記ベルトの走行経路を屈曲させて記録シートを前記ベルトから分離させる分離ローラと、
前記分離ローラの上流側に配置され、前記ベルトの外周面側から記録シート上の未定着画像を加熱して、未定着画像を形成するトナーが分離時の剥離放電により飛び散らないように当該トナーの一部を溶融状態にさせる予備加熱手段と、
前記予備加熱手段の下流側に配置され、記録シートが前記分離位置へ搬送される際に前記ベルトからの記録シートの剥離を促進することにより、前記分離ローラによる記録シートの分離を補助する分離補助手段と、
を備えることを特徴とする画像形成装置。
【請求項２】
前記分離補助手段は、前記分離ローラの上流側に設けられ、前記ベルトの内周面に振動を付与することにより、前記分離を補助する
ことを特徴とする請求項１記載の画像形成装置。
【請求項３】
前記分離補助手段は、前記分離ローラに振動を付与することにより、前記分離を補助する
ことを特徴とする請求項１記載の画像形成装置。
【請求項４】
その表面上に未定着画像が形成される像担持体を備え、
前記像担持体は、前記予備加熱手段の上流側において前記ベルトと当接され、
前記ベルトとの当接部に記録シートが通紙されることにより、前記未定着画像が通紙された記録シートに静電転写され、
前記画像形成装置はさらに、
前記分離補助手段の上流側で前記予備加熱手段の下流側に配置され、前記分離ローラとの間で前記ベルトを張架することにより、前記分離補助手段により前記ベルトに付与される振動が前記当接部に伝達されないように振動の伝達領域を規制する振動規制部材
を備えることを特徴とする請求項２又は３に記載の画像形成装置。
【請求項５】
前記分離補助手段は、前記分離ローラの上流側に設けられ、
前記ベルトの除電を行うことにより、前記分離を補助する
ことを特徴とする請求項１記載の画像形成装置。
【発明の詳細な説明】
【技術分野】
【０００１】
本発明は、プリンタ、ファクシミリ、複写機等の画像形成装置に関し、特に、周回駆動する無端状のベルトに静電吸着させた状態で記録シートを定着装置へ搬送するベルト搬送方式を利用した画像形成装置において、ベルトから記録シートを分離する技術に関する。
【背景技術】
【０００２】
プリンタ、ファクシミリ、複写機等の画像形成装置においては、印刷指示された画像データに基づいて感光体ドラム上に静電潜像が形成され、当該静電潜像は帯電トナーで現像された後、中間転写ベルト上に１次転写される。そして、１次転写された未定着画像は、さらに、２次転写ローラを用いて中間転写ベルト上から記録シート上に静電転写（２次転写）され、静電転写後の記録シートは定着装置に搬送されて熱定着され、記録シート上に画像が定着される。
【０００３】
この静電転写後の記録シートを定着装置へ搬送する、安定性の高い搬送方法として、近年、ベルト搬送方式が利用されるようになってきている。このベルト搬送方式では、記録シートが周回駆動する無端状のベルトに静電吸着された状態で搬送され、分離位置でベルトから分離されて定着装置に搬送される。
この分離位置には、ベルトの走行経路を屈曲させる分離ローラが配置されており、記録シートのベルト上からの分離が促進されるように構成されている。すなわち、記録シートが分離位置で屈曲されることにより、記録シートの剛性に起因する復元力が屈曲方向と反対の方向に生じ、この復元力が、記録シートとベルトとの間に生じている静電気による吸着力に打ち勝って、両者が分離される。
【０００４】
上記のようなベルト搬送方式を利用することにより、記録シートが搬送途中で詰まったりするのを有効に防止できると共に、記録シートの搬送速度を高めることができる。
一方、ベルト搬送方式では、記録シートがベルトから分離される際に、ベルトと記録シートとの間で剥離放電が発生し、この剥離放電により、静電転写された未定着画像のトナーの一部が飛び散ってしまい、それにより画像が乱され、画像不良が生じる場合がある。
【０００５】
この画像不良の発生を防ぐための技術として、例えば、特許文献１には、未定着画像が静電転写された記録シートが剥離される前に、未定着画像を加熱することにより、未定着画像のトナーを溶融させ、剥離放電が起こってもトナーが飛び散らないようにする技術が開示されている。これにより、ベルト搬送方式を用いた画像形成装置において、記録シートの分離時の剥離放電に起因する画像不良の発生を有効に防止しつつ、分離位置において分離ローラを用いて未定着画像が静電転写された記録シートをベルトから分離することができる。
【先行技術文献】
【特許文献】
【０００６】
【特許文献１】特開平９−６１５８号公報
【発明の概要】
【発明が解決しようとする課題】
【０００７】
しかしながら、記録シート（例えば、紙の用紙）の剛性は、その厚さが薄い場合には、弱くなるので、例えば、記録シートが薄紙の用紙のように剛性の弱いものであれば、分離位置で屈曲された場合の復元力が弱くなり、その復元力がベルトとの間に生じている静電気による吸着力に打ち勝つことができず、記録シートの分離不良が生じてしまう場合がある。
【０００８】
本発明は、上述のような問題に鑑みて為されたものであって、未定着画像の静電転写後の記録シートが、周回駆動するベルト上で予備加熱された後、分離位置まで搬送されたときに分離不良が発生するのを有効に防止することが可能な画像形成装置を提供することを目的とする。
【課題を解決するための手段】
【０００９】
上記目的を達成するため、本発明に係る画像形成装置は、未定着画像を形成し、記録シート上に静電転写した後、当該記録シートを周回駆動する無端状のベルトの外周面上に静電気的に吸着させて分離位置まで搬送し、当該分離位置で当該記録シートを分離した後、未定着画像を熱定着する画像形成装置であって、
前記分離位置に対応する位置に配置され、前記ベルトの走行経路を屈曲させて記録シートを前記ベルトから分離させる分離ローラと、前記分離ローラの上流側に配置され、前記ベルトの外周面側から記録シート上の未定着画像を加熱して、未定着画像を形成するトナーが分離時の剥離放電により飛び散らないように当該トナーの一部を溶融状態にさせる予備加熱手段と、前記予備加熱手段の下流側に配置され、記録シートが前記分離位置へ搬送される際に前記ベルトからの記録シートの剥離を促進することにより、前記分離ローラによる記録シートの分離を補助する分離補助手段と、を備える。
【００１０】
前記分離補助手段は、前記分離ローラの上流側に設けられ、前記ベルトの内周面に振動を付与することにより、前記分離を補助することとすることができる。
又、前記分離補助手段は、前記分離ローラに振動を付与することにより、前記分離を補助することとすることができる。又、前記分離補助手段は、前記分離ローラの上流側に設けられ、前記ベルトの除電を行うことにより、前記分離を補助することとすることができる。
【発明の効果】
【００１１】
上記構成を備えることにより、分離位置に対応する位置に配置された分離ローラにより、周回駆動するベルトの走行経路を屈曲させて記録シートをベルトから分離させる際に、静電吸着されたベルトからの記録シートの剥離が分離補助手段により促進されるので、記録シートの分離位置での分離が容易となり、屈曲された場合の復元力が弱い記録シートの場合においても、分離位置での分離不良の発生を有効に防止することができる。
【００１２】
ここで、前記画像形成装置は、その表面上に未定着画像が形成される像担持体を備え、前記像担持体は、前記予備加熱手段の上流側において前記ベルトと当接され、前記ベルトとの当接部に記録シートが通紙されることにより、前記未定着画像が通紙された記録シートに静電転写され、前記画像形成装置はさらに、前記分離補助手段の上流側で前記予備加熱手段の下流側に配置され、前記分離ローラとの間で前記ベルトを張架することにより、前記分離補助手段により前記ベルトに付与される振動が前記圧接部に伝達されないように振動の伝達領域を規制する振動規制部材を備えることとしてもよい。
【００１３】
これにより、未定着画像が静電転写される像担持体とベルトとの当接部の下流側であって、ベルトに振動を付与することにより、記録シートのベルトからの剥離を促進する分離補助手段の上流側に、圧接部への振動の伝達を規制する振動規制部材が配置されるので、分離補助手段によりベルトに付与される振動が当接部に伝わらないようにすることができる。その結果、当接部において記録シート上に静電転写された未定着画像が、振動により乱れないようにすることができる。
【図面の簡単な説明】
【００１４】
【図１】プリンタ１の構成を示す図である。
【図２】２次転写ベルト３９周辺部の拡大図である。
【図３】予備加熱の前後における、未定着画像の溶融状態を模式的に表した模式図である。
【図４】制御部６０の構成と制御部６０の制御対象となる主構成要素との関係を示す図である。
【図５】変形例における、２次転写ベルト３９周辺部の拡大図である。
【発明を実施するための形態】
【００１５】
以下、本発明に係る画像形成装置の実施の形態を、タンデム型カラーデジタルプリンタ（以下、単に「プリンタ」という。）に適用した場合を例にして説明する。
［１］プリンタの構成
先ず、本実施の形態に係るプリンタ１の構成について説明する。図１は、本実施の形態に係るプリンタ１の構成を示す図である。同図に示すように、このプリンタ１は、画像プロセス部３０、給紙部４０、定着装置５０および制御部６０を備えている。
【００１６】
プリンタ１は、ネットワーク（例えばＬＡＮ）に接続され、外部の端末装置（不図示）からのプリントジョブの実行指示を受け付けると、その指示に基づいてイエロー、マゼンタ、シアンおよびブラックの各色のトナー像を形成し、これらを多重転写してフルカラーの画像形成を実行する。以下、イエロー、マゼンタ、シアン、ブラックの各再現色をＹ、Ｍ、Ｃ、Ｋと表し、各再現色に関連する構成部分の番号にこのＹ、Ｍ、Ｃ、Ｋを添字として付加する。
【００１７】
画像プロセス部３０は、作像部３Ｙ、３Ｍ、３Ｃ、３Ｋ、露光部２０、中間転写ベルト３７、２次転写ベルト３９などを有している。作像部３Ｙ、３Ｍ、３Ｃ、３Ｋの構成は、いずれも同様の構成であるため、以下、主として作像部３Ｙの構成について説明する。
作像部３Ｙは、感光体ドラム３１Ｙと、その周囲に配設された帯電器３２Ｙ、現像器３３Ｙ、１次転写ローラ３００Ｙ、および感光体ドラム３１Ｙを清掃するためのクリーナ３４Ｙなどを有しており、感光体ドラム３１Ｙ上にＹ色の未定着画像（トナー像）を作像する。現像器３３Ｙは、感光体ドラム３１Ｙに対向し、感光体ドラム３１Ｙに帯電トナーを供給する。なお、他の作像部３Ｍ〜３Ｋも、トナーの色が異なる以外は作像部３Ｙと同様の構成を有する。
【００１８】
中間転写ベルト３７は、無端状のベルトであり、４つのローラ３６ａ、３６ｂ、３６ｃ、３６ｄによって懸架されている。４つのローラの内の１つが駆動ローラとして機能し、当該駆動ローラが駆動されることにより、中間転写ベルト３７は、矢印Ａ方向に周回駆動される。又、ローラ３６ｂの下流側には、記録シートへの未定着画像の静電転写後に中間転写ベルト３７上に残存するトナーを除去するためのクリーニング装置３５が配置されている。
【００１９】
露光部２０は、レーザダイオードなどの発光素子を備え、制御部６０からの駆動信号によりＹ〜Ｋ色の各色の画像形成のためのレーザ光（各点線矢印で示すレーザ光）を発し、感光体ドラム３１Ｙ〜３１Ｋをそれぞれ露光走査する。
この露光走査により、帯電器３２Ｙ〜３２Ｋの各帯電器により帯電された感光体ドラム３１Ｙ〜３１Ｋ上にそれぞれ対応する色の静電潜像が形成される。各静電潜像は、対応する色の現像器により現像されて感光体ドラム３１Ｙ〜３１Ｋ上にＹ〜Ｋ色の各色に対応する未定着画像が形成される。形成された各色の未定着画像は、作像部３Ｙ、３Ｍ、３Ｃ、３Ｋの各１次転写ローラ（図１では、作像部３Ｙに対応する一次転写ローラのみ符号３００Ｙを付し、他の一次転写ローラについては、符号を省略している。）による静電力の作用により、中間転写ベルト３７上において重なるように順次一次転写された後、中間転写ベルト３７と当接して周回駆動する２次転写ベルト３９上に通紙される記録シートに、当接部において２次転写ローラ３８ａにより静電転写（２次転写）される。
【００２０】
図２は、２次転写ベルト３９周辺部の拡大図である。同図に示すように、２次転写ベルト３９は、無端状のベルトであり、２次転写ローラ３８ａ、分離ローラ３８ｂ、張架ローラ３８ｃ、張架ローラ３８ｄの４つのローラによって懸架されている。４つのローラの内、２次転写ローラ３８ａが、駆動ローラとして機能し、２次転写ローラ３８ａが駆動されることにより、２次転写ベルト３９は、矢印Ｂ方向に周回駆動される。中間転写ベルト３７との当接部において中間転写ベルト３７上の未定着画像を記録シート上に静電転写させるため、２次転写ローラ３８ａには、未定着画像のトナーの極性と逆極性の電圧が印加される。２次転写ベルト３９は、未定着画像が静電転写された記録シート（図２の符号Ｓで示す記録シート）を、ベルト上に静電吸着させた状態で、分離ローラ３８ｂが配置されている分離位置へ搬送する。
【００２１】
分離ローラ３８ｂは、分離位置で２次転写ベルト３９の走行経路を屈曲させることにより、分離位置まで搬送された記録シートを屈曲させ、この際に記録シートに発生する復元力を利用して記録シートの２次転写ベルト３９からの分離を促進する。
すなわち、記録シートが分離位置で屈曲されることにより、記録シートの剛性に起因する復元力が屈曲方向と反対の方向に生じ、この復元力が、記録シートと２次転写ベルト３９との間に生じている静電吸着力に打ち勝って、両者が分離される。
【００２２】
分離ローラ３８ｂと張架ローラ３８ｄとの間の区間には、２次転写ベルト３９の内周面に振動を与えて、２次転写ベルト３９を両矢印で示すように上下に振動させる振動部材３８ｅが配置されている。振動部材３８ｅは、モータとカム又はクランク機構とを組み合わせて構成したり、ソレノイドによって構成したりすることができる。振動部材３８ｅは、振動を付与することができるものであれば、他の部材であってもよい。例えば、スピーカのようなものを用いることとしてもよい。振動部材３８ｅが２次転写ベルト３９に与える振動により、２次転写ベルト３９と記録シートとの間にわずかな隙間が生じ、当該隙間に空気が入りこむことで隙間が広がり、２次転写ベルト３９と記録シートとの間の静電吸着力が弱まり、記録シートが２次転写ベルト３９から剥離しやすくなる。
【００２３】
振動部材３８ｅは、分離ローラ３８ｂのすぐ上流側に配置されているので、記録シートの屈曲に対する復元力が弱い場合においても、分離位置で記録シートを２次転写ベルト３９から容易に剥離させることができる。
又、振動部材３８ｅの上流側で、中間転写ベルト３７との当接部から下流側には、張架ローラ３８ｄが配置されているので、振動部材３８ｅが２次転写ベルト３９に与える振動が、当接部に伝わらないように規制することができ、当接部における未定着画像の静電転写に振動が影響し、静電転写後の画像が乱れないようにすることができる。
【００２４】
又、２次転写ベルト３９と中間転写ベルト３７との当接部と、張架ローラ３８ｄとの間の区間には、予備加熱装置３０１が配置されている。予備加熱装置３０１は、ヒータ（例えば、ハロゲンランプ）等から構成され、２次転写ベルト３９上の記録シートが分離位置まで搬送される前に、記録シート上の未定着画像を予備加熱し、未定着画像の表層部を溶融させる。
【００２５】
これにより、静電転写後の記録シートが、２次転写ベルト３９により振動部材３８ｅによる振動が伝わる区間（分離ローラ３８ｂと張架ローラ３８ｄとの間の区間）まで搬送される前に、未定着画像の表層部が溶融状態にされるので、当該記録シートが当該区間内に搬送されたときに振動の影響により、未定着画像の表面が乱れるのを防止することができる。さらに、当該記録シートが分離位置まで搬送され、２次転写ベルト３９から分離される際に発生する剥離放電によって記録シート上のトナーが飛び散らないようにすることができる。
【００２６】
予備加熱装置３０１の予備加熱温度は、制御部６０により制御される。具体的には、制御部６０は、ヒータのオンオフを制御することにより、予備加熱温度が設定温度になるように制御する。なお、予備加熱装置３０１には、予備加熱温度を検出する温度センサ（不図示）が設けられており、当該温度センサの検出結果に基づいて、制御部６０は、ヒータのオンオフを制御し、予備加熱温度が設定温度になるように制御する。
【００２７】
設定温度は、予備加熱後の未定着画像の溶融状態が、図３（ｂ）に示すように、未定着画像の表層部のみが溶融された状態になるように設定温度が調整される。
図３は、予備加熱の前後における、未定着画像の溶融状態を模式的に表した模式図である。図３（ａ）は、予備加熱前の未定着画像の溶融状態を示し、図３（ｂ）は、予備加熱後の未定着画像の溶融状態を示す。両図において、符号３０１は、未定着画像を、符号３０２は、記録シートをそれぞれ表す。図３（ａ）に示すように、予備加熱前においては、未定着画像３０１は、非溶融状態にあり、予備加熱後においては、未定着画像３０１は、図３（ｂ）に示すように、表層部分が溶融した状態に変化する。
【００２８】
発明者らが行った実験結果から、未定着画像の表面温度が、トナーのガラス転移温度Ｔｇよりも、５０℃程度高い温度になるように、設定温度を調整することにより、未定着画像の表層部分のみが溶融された状態にすることが可能であることが確認されている。
図１の説明に戻って、給紙部４０は、記録シート（記録シートとしては、紙の用紙やＯＨＰシートなどのフィルムシートを利用できるが、ここでは、記録シートを用紙Ｓとする。）を収容する給紙カセット４１と、給紙カセット４１内の用紙Ｓを搬送路４３上に１枚ずつ繰り出す繰り出しローラ４２と、繰り出された用紙Ｓを搬送する搬送ローラ対４４と、搬送された用紙Ｓを、中間転写ベルト３７と２次転写ベルト３９とが当接している位置（２次転写位置）に送り出すタイミングをとるためのタイミングローラ対４５などを備えており、中間転写ベルト３７上の未定着画像の移動タイミングに合わせて給紙部４から用紙Ｓを２次転写位置に搬送し、２次転写ローラ３８ａによる静電力の作用により中間転写ベルト３７上の未定着画像が一括して用紙Ｓ上に２次転写される。
【００２９】
上記の当接位置を通過した用紙Ｓは、２次転写ベルト３９を介して定着装置５０に搬送され、用紙Ｓ上の未定着画像が、定着装置５０における加熱・加圧により用紙Ｓに熱定着された後、排出ローラ対７１を介して排出トレイ７２上に排出される。
［２］制御部の構成
図４は、制御部６０の構成と制御部６０の制御対象となる主構成要素との関係を示す図である。制御部６０は、所謂コンピュータであって、同図に示されるように、ＣＰＵ（Central Processing Unit）６０１、通信インターフェース（Ｉ／Ｆ）部６０２、ＲＯＭ（Read Only Memory）６０３、ＲＡＭ（Random Access Memory）６０４、画像データ記憶部６０５などを備える。
【００３０】
通信Ｉ／Ｆ部６０２は、ＬＡＮカード、ＬＡＮボードといったＬＡＮに接続するためのインターフェースである。ＲＯＭ６０３には、画像プロセス部３０、給紙部４０、定着装置５０、操作パネル１１、スキャナー１２、予備加熱装置３０１等を制御するためのプログラムなどが格納されている。ＲＡＭ６０４は、ＣＰＵ６０１のプログラム実行時のワークエリアとして用いられる。画像データ記憶部６０５は、通信Ｉ／Ｆ部６０２やスキャナー１２を介して入力された、印刷用の画像データを記憶している。
【００３１】
操作パネル１１は、液晶ディスプレイ、液晶ディスプレイに積層されたタッチパネルや各種指示を入力するための操作ボタン等から構成され、タッチパネルや操作ボタン等の操作を介してユーザから各種指示の入力を受け付ける。液晶ディスプレイには、印刷設定画面等の操作画面や印刷結果等の各種表示情報等が表示される。スキャナー１２は、原稿の画像を読取り、当該画像に基づく画像データを生成して制御部６０に出力する。
【００３２】
［３］変形例
以上、本発明を実施の形態に基づいて説明してきたが、本発明が上述の実施の形態に限定されないのは勿論であり、以下のような変形例を実施することができる。
（１）本実施の形態では、分離ローラ３８ｂと張架ローラ３８ｄとの間の区間に振動部材３８ｅを配置することとしたが、図５に示すように、振動部材３８ｅを、分離ローラ３８ｂと当接可能な位置に配置し、分離ローラ３８ｂを両矢印Ｃで示す方向に振動させることにより、分離位置における２次転写ベルト３９と記録シートとの間の静電吸着力を弱め、記録シートの２次転写ベルト３９からの剥離を補助することとしてもよい。
【００３３】
（２）本実施の形態においては、２次転写ベルト３９に振動を与えることにより、分離位置における記録シートの２次転写ベルト３９からの剥離を補助することとしたが、分離ローラ３８ｂと張架ローラ３８ｄとの間の区間に、振動部材３８ｅの代わりに、除電部材を配置し、当該除電部材を２次転写ベルト３９の内周面に接触させて、２次転写ベルト３９表面の静電気を除電し、２次転写ベルト３９と記録シートとの間の静電吸着力を弱め、分離位置における記録シートの２次転写ベルト３９からの剥離を補助することとしてもよい。除電部材としては、
例えば、除電針、除電ローラ、除電ブラシ等の部材をもちいることができる。これら除電部材は接地して用いることが望ましい。
【００３４】
（３）本実施の形態においては、２次転写ベルト３９に振動を与えることにより、分離位置における記録シートの２次転写ベルト３９からの剥離を補助することとしたが、２次転写ベルト３９に振動を与える代わりに、分離位置に剥離用の爪を設け、分離位置における記録シートの２次転写ベルト３９からの剥離を補助することとしてもよい。
【産業上の利用可能性】
【００３５】
本発明は、プリンタ、ファクシミリ、複写機等の画像形成装置に関し、特に、周回駆動する無端状のベルトに静電吸着させた状態で記録シートを定着装置へ搬送するベルト搬送方式を利用した画像形成装置において、ベルトから記録シートを分離する技術として利用できる。
【符号の説明】
【００３６】
１                      プリンタ
２０                    露光部
３０                    画像プロセス部
３１Ｙ〜３１Ｋ          感光体ドラム
３２Ｙ〜３２Ｋ          帯電器
３３Ｙ〜３３Ｋ          現像器
３４Ｙ〜３４Ｋ          クリーナ
３５                    クリーニング装置
３６ａ〜３６ｄ          ローラ
３７                    中間転写ベルト
３８ａ                  ２次転写ローラ
３８ｂ                  分離ローラ
３８ｃ、３８ｄ          張架ローラ
３８ｅ                  振動部材
３９                    ２次転写ベルト
４０                    給紙部
４１                    給紙カセット
４２                    繰り出しローラ
４３                    搬送路
４４                    搬送ローラ対
４５                    タイミングローラ対
５０                    定着装置
６０                    制御部
７１                    排出ローラ対
７２                    排出トレイ
３００Ｙ                １次転写ローラ
３０１                  予備加熱装置
【図１】
2012173468.tif 000003
【図２】
2012173468.tif 000004
【図３】
2012173468.tif 000005
【図４】
2012173468.tif 000006
【図５】
2012173468.tif 000007